(57)【要約】
【課題】　結婚相手および恋人等の毛髪、爪および皮膚等の身体組織を収容して、常に身につけておくことが可能な指輪を提供することを課題とする。
【解決手段】　指輪１は、プラチナを素材として、手指に緩嵌可能に形成された環状の環部２と、環部２に穿設され、内周面Ｉに開口した開口部、および開口部と連通し、円柱状の孔空間を有する環孔部５と、環部２と同一のプラチナを素材とし、環孔部５と嵌合して環孔部５を閉塞する円錐台状の閉塞栓６と、環孔部５と嵌合した閉塞栓６を留める留め爪部７とを有している。そして、環孔部５および閉塞栓６によって閉塞された空間に結婚相手や恋人等の頭髪などの身体組織の一部を収容し、装着者は、常に身につけておくことができる。
【選択図】　　　　図１
0003099186.tif 000002
【実用新案登録請求の範囲】
【請求項１】
　手指に緩嵌可能に形成された環状の環部と、
　前記環部の内周面に穿設され、前記内周面に開口した開口部、および前記開口部と連通し、毛髪、爪、および皮膚を含む人間の身体組織の一部を収容可能な孔空間を有する環孔部と、
　前記身体組織を前記孔空間に収容した状態で前記環孔部を閉塞する閉塞栓と、
　前記閉塞栓によって前記環孔部が閉塞された状態を保持する保持手段と
を有することを特徴とする指輪。
【請求項２】
　前記環部、および前記閉塞栓は、
　同一の貴金属で形成されることを特徴とする請求項１に記載の指輪。
【請求項３】
　手指に緩嵌可能に形成された環状の環部と、
　光透過性を有する宝石によって形成された装飾部と、
　前記装飾部に穿設され、前記装飾部の装飾表面に開口した開口部、および前記開口部と連通し、毛髪、爪、および皮膚を含む人間の身体組織の一部を収容可能な孔空間を有する装飾孔部と、
　前記孔空間に前記身体組織を収容した状態で前記環部に前記装飾部を固定する固定手段と
を具備することを特徴とする指輪。
【請求項４】
　前記環部に穿設され、固定された前記装飾部の前記開口部に対向する位置に開口した環開口部、および前記環開口部と連通し、前記身体組織の少なくとも一部を収容可能な環孔空間を有する環孔部をさらに具備することを特徴とする請求項３に記載の指輪。
【考案の詳細な説明】
【技術分野】
【０００１】
　本考案は、指輪に関するものであり、特に指輪の内部に毛髪、爪、皮膚等の身体組織の一部を収容することが可能な指輪に関するものである。
【背景技術】
【０００２】
　飾りとして体や衣服に付ける装身具、いわゆる「ジュエリー」には、イヤリング、ピアス、ネックレス、ペンダント、ブローチ、指輪等、様々な種類があるが、日本では指輪が最も人気が高いといわれている。そして、最近は、誕生日、入学、卒業、婚約、結婚、出産等の記念、さらにお守りとして指輪を贈ることが多くなっている。また、このような記念や、お守りとして自分自身で指輪を購入することもある。
【０００３】
　上述した中でも特に、結婚する際に互いに贈り合う結婚指輪は、互いのことを想うために、また、既婚者の証として、常時身に付けていることが多い。さらに、最近では、「結婚する時に青いものを身につけると幸せになれる」というヨーロッパの言い伝え（いわゆる、「サムシングブルー」）が日本にも広まり、結婚指輪の内側にサファイヤ等の宝石を入れ、幸せのお守りのように利用することもある。
【０００４】
　以上の従来技術は、公然に実施されているものであり、出願人は、この従来技術が記載された文献を、本願出願時においては知見していない。
【考案の開示】
【考案が解決しようとする課題】
【０００５】
　ところで、恋人同士や夫婦は、相手を身近に感じていたいと思う気持ちがあり、時計などの相手の持ち物を互いに身に付けることがあった。また、お互いに贈りあった指輪を嵌めることにより、常に相手を想うこともある。しかしながら、上述したような時計や指輪等を身につけるだけでは、物足りないと感じることや、さらにオリジナリティーを求める声があった。また、これらの声に応えるように、注文によってオリジナルの指輪等を作ることも増えてきた。しかしながら、もっと相手を身近に感じられるものを望む声があった。
【０００６】
　一方、恋人の毛髪等をお守として携帯することなどが、従来より行われている。このとき、毛髪を紙で包んでお守り袋に入れたり、箱に入れて携帯することが多い。しかしながら、お守り袋、および箱は、身に付ける構成になっておらず、携帯するのに不便で、忘れることや無くすこと等があった。また、お守り袋、および箱等は、デザイン等に考慮したものではなかった。そのため、携帯しやすい構成で毛髪等を収容可能であり、さらにデザイン性に優れるものを望む声があった。
【０００７】
　そこで、本考案は、上記実情に鑑み、特に結婚相手および恋人等の毛髪、爪および皮膚等の身体組織を収容し、常に身につけておくことが可能な指輪を提供することを課題とする。
【課題を解決するための手段】
【０００８】
　本考案に係る指輪は、「手指に緩嵌可能に形成された環状の環部と、前記環部の内周面に穿設され、前記内周面に開口した開口部、および前記開口部と連通し、毛髪、爪、および皮膚を含む人間の身体組織の一部を収容可能な孔空間を有する環孔部と、前記身体組織を前記孔空間に収容した状態で前記環孔部を閉塞する閉塞栓と、前記閉塞栓によって前記環孔部が閉塞された状態を保持する保持手段とを有すること」を、上述の課題を解決するための特徴とする。
【０００９】
　ここで、身体組織とは人間の頭髪等の毛髪、爪、皮膚、および臍の緒等が例示される。このとき、指輪を装着する人（以下、装着者と称する。）の夫、妻、恋人、家族、および友人等の身近な人々を対象にすることが想定される。
【００１０】
　また、保持手段とは、例えば、環部を彫り起こして形成した爪を利用して留める「彫り留め」、宝石をフレーム状に囲んで留める「覆輪留め」等の環部に宝石を固定するのと同様に、閉塞栓を環孔部に嵌入した状態を保持するものが適用可能である。さらに、接着剤によって閉塞栓を固定するものであってもよい。
【００１１】
　したがって、本考案の指輪によれば、環孔部が有する孔空間に毛髪、爪、および皮膚等の身体組織の一部を収容した状態で、通常の指輪と同様に手指に嵌めることが可能となる。また、環孔部の開口部は、環部の内周面に形成されているため、指輪を嵌めた際に、開口部は外部から視認されない。そのため、開口部によって外周面のデザイン性を損なうことがなく、種々のデザインを施すことが可能となる。
【００１２】
　また、身体組織の一部として、装着者が大切に思う人等の毛髪、爪、および皮膚等を、孔空間に収容することができるため、指輪を嵌めることにより、その人を身近に感じることができる。さらに、常に指輪を嵌め、お守りのように使用することも可能である。また、結婚相手の身体組織の一部を収容し、結婚指輪として利用するとこにより、指輪に特別な価値を付与することができる。また、婚約中の両者の身体組織を収容し、婚約指輪にすることも可能である。
【００１３】
　上記指輪を、「前記環部、および前記閉塞栓は、同一の貴金属で形成される」ものとしてもよい。
【００１４】
　ここで、貴金属とは、白金、金、銀、およびパラジウム、それらの合金等が例示される。
【００１５】
　したがって、本考案の指輪によれば、不透明な貴金属で環部が形成されるため、環孔部に収容された身体組織が外部から視認されることがない。さらに、閉塞栓が環部と同一の貴金属で形成されるため、閉塞栓が目立たず、違和感なく使用することが可能である。
【００１６】
　本考案に係る指輪は、「手指に緩嵌可能に形成された環状の環部と、光透過性を有する宝石によって形成された装飾部と、前記装飾部に穿設され、前記装飾部の装飾表面に開口した開口部、および前記開口部と連通し、毛髪、爪、および皮膚を含む人間の身体組織の一部を収容可能な孔空間を有する装飾孔部と、前記孔空間に前記身体組織を収容した状態で前記環部に前記装飾部を固定する固定手段とを具備すること」を、上述の課題を解決するための特徴とする。
【００１７】
　ここで、光透過性を有する宝石とは、ダイヤモンドのように無色で透明のもの、ルビー等のように有色で透明のもの等様々な種類が存在する。例えば、ダイヤモンド、エメラルド、ルビー、サファイヤ、トパーズ類、トルマリン類、ガーネット類、ペリドット、クンツァイト、アクアマリン類、モルガナイト、アイオライト、タンザナイト等を利用可能である。さらに、天然の石だけでなく、人工石も含まれる。
【００１８】
　また、身体組織とは既に説明したものと同様のものであり、ここでは説明を省略する。
【００１９】
　さらに、環部に装飾部を固定する固定手段とは、爪と呼ばれる小さな棒状の地金で宝飾部を固定する「爪留め」、装飾部をフレーム状の地金で囲んで固定する「枠留め」、環部に溝を切って宝飾部を挟み込んで固定する「はさみ留め」等のいわゆる「石留め」といわれる周知のものが例示される。
【００２０】
　したがって、本考案の指輪によれば、装飾部に穿設された装飾孔部の孔空間に、身体組織の一部を収容し、指に嵌めることが可能となる。ここで、装飾部は光透過性を有する宝石を素材として形成されるため、装飾部に収容された身体組織を外部から視認することが可能となる。例えば、装着者が大切に思う人の身体組織が収容される場合、指に嵌めて身に付けることにより、大切な人をより身近に感じることができる。また、収容された身体組織が視認可能なため、安心することができ、お守りのように利用することもできる。
【００２１】
　上記指輪を、「前記環部に穿設され、固定された前記装飾部の前記開口部に対向する位置に開口した環開口部、および前記環開口部と連通し、前記身体組織の少なくとも一部を収容可能な環孔空間を有する環孔部をさらに具備する」ものとしてもよい。
【００２２】
　ここで、開口部および環開口部は当接していても、離間していてもよい。また、開口部および環開口部の互いの形状は同一でも異なるものでもよい。例えば、頭髪を収容する場合、開口部および環開口部が異なる形状で、離間するものであっても、装飾孔部および環孔部を掛け渡すように収容することが可能である。一方、爪および皮膚等を収容する場合、装飾孔部および環孔部の隙間より抜け落ちる可能性があるため、開口部および環開口部が同一形状で当接するものが好ましい。
【００２３】
　したがって、本考案の指輪によれば、環部に穿設された環孔部をさらに具備して形成されている。ここで、環孔部は、環部に宝飾部が固定された状態で、宝飾部の開口部に対向する位置に環開口部を有している。すなわち、装飾部に穿設された装飾孔部が有する孔空間と、環部に穿設された環孔部が有する環孔空間とで形成される空間に、身体組織を収容することが可能となる。そのため、毛髪、爪、および皮膚等を多く収容することもできる。さらに、夫婦、恋人等の双方の身体組織を収容することや、混合して収容することもできる。
【００２４】
　さらに、装飾孔部は二つの開口部を有する貫通孔であってもよい。このとき、それぞれの開口部に対応して環部に穿設された二つの環孔部を有するため、二つの環孔空間、および孔空間によって連なった空間が形成される。そのため、例えば、頭髪を小さくまとめたり、短く切断せず、伸ばした状態で収容することが可能となる。
【考案の効果】
【００２５】
　上述のように、本考案に係る指輪によれば、毛髪、爪および皮膚等の人間の身体組織を内部に収容して、常に身につけることが可能な指輪を提供することができる。
【考案を実施するための最良の形態】
【００２６】
　以下、本考案の第一実施形態である指輪１について、図１乃至図４に基づいて詳細に説明する。ここで、図１は第一実施形態である指輪１の構成を示す斜視図であり、図２は指輪１の構成を示す断面図であり、図３は環孔部５および閉塞栓６の構成を示す説明図であり、図４は指輪１の構成を示すＡ−Ａ断面図である。
【００２７】
　図１乃至図４に示すように、第一実施形態の指輪１はプラチナを素材として、手指に緩嵌可能に形成された環状の環部２と、環部２の内周面Ｉに穿設された環孔部５と、環孔部５と嵌合して環孔部５を閉塞する円錐台状の閉塞栓６と、環孔部５と嵌合した閉塞栓６を留める留め爪部７とを主に有している。ここで、環孔部５の孔空間４には、結婚相手の頭髪Ｈが収容され、指輪１は結婚指輪として利用されるものを例示している。また、留め爪部７が、本考案の保持手段に相当する。
【００２８】
　まず、環孔部５、閉塞栓６、および留め爪部７について、詳細に説明する。環孔部５は、環部２の内周面Ｉに開口した円形の開口部３と、開口部３と連通する円柱状の孔空間４を有している。そして、閉塞栓６は、孔空間４の一部に嵌入可能な断面台形を呈する円錐台に形成されている（図３参照）。また、留め爪部７は、切りタガネ等で環部２の内周面Ｉを数カ所（本実施形態において、四ヶ所）彫り起こして作られるもので、一般に「彫り留め」といわれる宝石を留める手法と同じである。
【００２９】
　次に、孔空間４に頭髪Ｈを収容し、環孔部５を閉塞する手順について説明する。孔空間４に頭髪Ｈを収容した状態で、閉塞栓６を孔空間４に嵌挿する（図３：矢印Ｂ方向）。このとき、断面台形の上底の長さが、開口部３の直径と同じで、下底の長さは開口部３の直径より長い。さらに、閉塞栓６は比較的柔らかいプラチナで形成されているため、若干変形され、孔空間４に嵌挿される。そのため、閉塞栓６が孔空間４の底面に当接する可能性はほとんどない。そして、切りタガネで環部２の内周面Ｉを四ヶ所彫り起こし（図３：矢印Ｃ方向）、閉塞栓６に被せるように倒す。これにより、環孔部５が閉塞された状態が保持される（図４参照）。
【００３０】
　上述したように、指輪１は環部２の内周面Ｉに穿設された環孔部５を有するため、環孔部５が有する孔空間４に頭髪Ｈを収容することができる。また、環部２は不透明のプラチナを素材として形成されているため、環孔部５に収容された頭髪Ｈは、外部から視認されることがない。したがって、指輪１の美観を損なうことがなく、従来の結婚指輪と同様に使用することができる。
【００３１】
　さらに、環孔部５は環部２の内周面Ｉに開口部３を有するため、指輪１を嵌めた際に、開口部３が視認されることがない。したがって、指輪１の外周面の外観に影響を与えず、種々のデザインを施すことができる。また、閉塞栓６は環部２と同素材で形成されているため、環孔部５を閉塞した際に、内周面Ｉを違和感のない外観に仕上げることができる。
【００３２】
　本実施形態において、孔空間４に結婚相手の頭髪Ｈが収容されているため、指に嵌めて、常に身につけることにより、相手を身近に感じることができ、お守りのように利用することもできる。さらに、オリジナルの指輪１が形成されるため、結婚指輪に新たな価値を加えることができる。
【００３３】
　次に、本考案の第二実施形態である指輪２１について、図５乃至図７に基づいて詳細に説明する。ここで、図５は第二実施形態である指輪２１の構成を示す斜視図であり、図６は指輪２１の構成を示す断面図であり、図７は指輪２１の構成を示す断面図である。
【００３４】
　図５乃至図７に示すように、指輪２１は、純金にパラジウムを混合した、いわゆる「ホワイトゴールド」を素材として、手指に緩嵌可能に形成された環状の環部２２と、水色で透明のアクアマリンを素材として断面略凸の字形状を呈して形成された装飾部２３と、装飾部２３に穿設された貫通空間２５を有する装飾孔部２６と、装飾部２３を環部２２に固定する固定部（後述する）と、環部２２に穿設された環孔部２９ａ、および第二環孔部２９ｂとを具備している。ここで、貫通空間２５が本考案における孔空間に、環孔部２９ａおよび第二環孔部２９ｂが本考案における環孔部に相当し、固定部が本考案における固定手段に相当する。
【００３５】
　まず、固定部について詳細に説明する。固定部は、環部２２に形成され、装飾部２３を嵌入可能な凹状の溝部３０、および溝部３０の上縁に鉤状に形成された幅広の留め爪部３１を有している。そして、装飾部２３は、溝部３０に嵌入され、留め爪部３１が装飾部２３にかかって、環部２２に固定される（いわゆる、「はさみ留め」：図６参照）。
【００３６】
　次に、装飾孔部２６、環孔部２９ａ、および第二環孔部２９ｂについて詳細に説明する。装飾孔部２６は、溝部３０に環入された装飾部２３の溝部３０と当接する一対の面にそれぞれ開口する円形状の開口部２４ａ、第二開口部２４ｂ、および開口部２４ａと第二開口部２４ｂを連通し、環部２２のカーブに沿って若干曲がった略円柱状の貫通空間２５を有している。そして、環孔部２９ａは、環部２２に穿設され、開口部２４ａと当接し、開口部２４ａと同一の円形状を呈する環開口部２７ａ、環開口部２７ａと連通し、環部２２の有するカーブに沿って若干曲がった略円柱状の環孔空間２８ａを有している。また、第二環孔部２９ｂは、環部２２に穿設され、第二開口部２４ｂと当接し、第二開口部２４ｂと同一の円形状を呈する第二環開口部２７ｂ、第二環開口部２７ｂと連通し、環部２２の有するカーブに沿って若干曲がった略円柱状の第二環孔空間２８ｂを有している。すなわち、環孔空間２８ａ、貫通空間２５、および第二環孔空間２８ｂが連なった細長い連続空間が形成される。
【００３７】
　上述したように、指輪２１は、装飾部２３に穿設された装飾孔部２６と、環部２２に穿設された環孔部２９ａ、および第二環孔部２０ｂとを有する。そのため、頭髪Ｈを指輪２１に収容し、指に嵌めて携帯することができる。ここで、例えば、恋人の頭髪Ｈを指輪２１に収容し、常に身に付けることにより、相手を身近に感じることができ、お守りのように利用することもできる。
【００３８】
　加えて、環孔空間２８ａ、貫通空間２５、および第二環孔空間２８ｂが連なった細長い連続空間が形成されるため、頭髪Ｈ等の細長い身体組織を、細かく切ったり丸めたりすることなく収容することができる。また、装飾部２３は水色で透明のアクアマリンを素材として形成されるため、貫通空間２５に収容された頭髪Ｈを外部から視認することが可能となる。したがって、装着者は、指輪２１を嵌めた状態で、頭髪Ｈが収容されていることを確認し、安心することができる。
【００３９】
　上述したように、本考案について好適な第一実施形態および第二実施形態を挙げて説明したが、本考案はこれらの実施形態に限定されるものではなく、以下に示すように、本考案の要旨を逸脱しない範囲において種々の改良および設計の変更が可能である。
【００４０】
　すなわち、環部２，２２は、プラチナ、および金（ホワイトゴールド）を素材として形成されるものを示したが、素材はこれに限定されるものではなく、銀、パラジウム等を利用してもよい。また、金は、イエローゴールド、ピンクゴールド、およびグリーンゴールド等の種々の色彩の金を利用することが可能である。さらに、貴金属に限定されず、ガラス、樹脂、および木材等であってもよい。また、装飾部２３はアクアマリンを使用しているが、ダイヤモンド、エメラルド、サファイヤ、およびルビー等の透明な種々の宝石を利用することが可能である。さらに、形状、およびカットの種類はこれに限定されず、ラウンド、オーバル、ペアシェイプ、ハートシェイプ、ブリリアンカット、ステップカット、エメラルドカット等、種々の形状、およびカットで装飾部２３を形成することが可能である。これにより、装着者の嗜好、および予算に応じた指輪を製造することが可能となる。
【００４１】
　また、装飾孔部２６、環孔部２９ａ、および第二環孔部２９ｂは、第二実施形態の形状に限定されない。例えば、環孔部２９ａ、および第二環孔部２９ｂを有さないものであってもよい。すなわち、装飾部２３に身体組織の一部を収容可能であり、収容された状態が保持されるものであればよい。これにより、環部２２の形状が簡単になり、容易に製造することができる。
【００４２】
　また、装飾部２３を環部２２に固定する固定手段は、第二実施形態の指輪２１で示した「はさみ留め」に限定されるものではない。例えば、接着剤を利用して装飾部２３を環部２２に固定する、装飾部２３をフレーム状に囲んで環部２２に固定する「覆輪留め」等、種々の手段を利用することができる。特に、覆輪留めによって固定する場合、指輪にデザイン性を持たせることができる。
【図面の簡単な説明】
【００４３】
【図１】本考案の第一実施形態の指輪の構成を示す斜視図である。
【図２】第一実施形態の指輪の構成を示す断面図である。
【図３】第一実施形態の指輪の環孔部および閉塞栓の構成を示す説明図である。
【図４】第一実施形態の指輪の構成を示すＡ−Ａ断面図である。
【図５】本考案の第二実施形態である指輪の構成を示す斜視図である。
【図６】第二実施形態の指輪の構成を示す断面図である。
【図７】第二実施形態の指輪の構成を示す断面図である。
【符号の説明】
【００４４】
　１，２１　指輪
　２，２２　環部
　３，２４ａ　開口部
　４　孔空間
　５，２９ａ　環孔部
　６　閉塞栓
　７　留め爪部（保持手段）
　２３　装飾部
　２４ｂ　第二開孔部（開口部）
　２５　貫通空間（孔空間）
　２６　装飾孔部
　２７ａ　環開口部
　２７ｂ　第二環開口部（環開口部）
　２８ａ　環孔空間
　２８ｂ　第二環孔空間（環孔空間）
　２９ｂ　第二環孔部（環孔部）
　３０　溝部（固定手段）
　３１　留め爪部（固定手段）
【図１】
0003099186.tif 000003
【図２】
0003099186.tif 000004
【図３】
0003099186.tif 000005
【図４】
0003099186.tif 000006
【図５】
0003099186.tif 000007
【図６】
0003099186.tif 000008
【図７】
0003099186.tif 000009